【事件の表示】
　特許第２６６０５０３号「移植機の苗縦送り装置」の特許に対する特許異議の申立てについて、次のとおり決定する。
【結　論】
　訂正を認める。
　特許第２６６０５０３号の特許を維持する。
【理　由】
1、手続きの経緯
　本件特許第２６６０５０３号発明は、平成３年１１月２９日の出願である実願平３−１０６７０９号出願（以下、「原出願」という）を平成７年１１月１４日に特許出願に変更したものであり、その特許は平成９年６月１３日に設定登録された。
　この特許に対し、異議申立人、井関農機株式会社、福本仁志より特許異議の申立てがなされ、当審において取消理由を通知したところ、平成１１年２月８日に訂正請求がなされ、さらに、訂正拒絶理由を通知したところ、訂正明細書を補正する手続補正書が提出されたものである。
　
２、訂正の適否についての判断
２-1、訂正の内容
　上記手続補正書による補正は訂正請求書の要旨を変更するものではないから、特許権者が求めている訂正の内容は、上記手続補正書で補正された訂正明細書のとおりに訂正しようとするものである。すなわち、
（１）特許請求の範囲の訂正
　「苗載台に搭載する苗トレイを苗取出し側に縦送り移動させる縦送り機構を設ける移植機の苗縦送り装置において、前記縦送り機構の苗トレイ縦送りピッチを変更させる苗トレイ縦送り量切換部材を設けたことを特徴とする移植機の苗縦送り装置。」を、「苗載台に搭載する苗トレイの１株分のポット苗を苗取出爪で取出して苗植付装置のホッパ形植付爪に放出供給して植付し、前記苗トレイを苗取出し側に縦送り移動させる縦送り機構を設ける移植機の苗縦送り装置において、変速ギヤの噛合わせを選択して前記縦送り機構の苗トレイ縦送りピッチを変更させる苗トレイ縦送り量切換部材を設けたことを特徴とする移植機の苗縦送り装置。」と訂正する。
（２）発明の詳細な説明の訂正
　(ａ)特許明細書の【０００４】の欄（特許公報２欄１１〜３欄２行）の「【課題を解決するための手段】然るに、本発明は、苗載台に搭載する苗トレイを苗取出し側に縦送り移動させる縦送り機構を設ける移植機の苗縦送り装置において、前記縦送り機構の苗トレイ縦送りピッチを変更させる苗トレイ縦送り量切換部材を設けたもので、苗載台に載せる苗トレイの種類に応じて前記切換部材を操作するだけで苗トレイ縦送りピッチが変更されるから、種類の異なる苗トレイを使用する移植作業を容易に行い得、」を、「【課題を解決するための手段】然るに、本発明は、苗載台に搭載する苗トレイの１株分のポット苗を苗取出爪で取出して苗植付装置のホッパ形植付爪に放出供給して植付し、前記苗トレイを苗取出し側に縦送り移動させる縦送り機構を設ける移植機の苗縦送り装置において、変速ギヤの噛合わせを選択して前記縦送り機構の苗トレイ縦送りピッチを変更させる苗トレイ縦送り量切換部材を設けたもので、苗載台に載せる苗トレイの種類に応じて前記切換部材を操作するだけで極めて正確に苗トレイ縦送りピッチが変更されるから、種類の異なる苗トレイを使用する移植作業を正確に苗取出しできて容易に行い得、」と訂正する。
　(ｂ)特許明細書の【００１５】の欄（特許公報６欄１８〜２８行）の「【発明の効果】以上実施例から明らかなように本発明は、苗載台（１５）に搭載する苗トレイ（１６）を苗取出し側に縦送り移動させる縦送り機構（７０）を設ける移植機の苗縦送り装置において、前記縦送り機構（７０）の苗トレイ（１６）縦送りピッチを変更させる苗トレイ縦送り量切換部材（５４）〜（５７）を設けたもので、苗載台（１５）に載せる苗トレイ（１６）の種類に応じて前記切換部材（５４）〜（５７）を操作するだけで苗トレイ（１６）縦送りピッチが変更されるから、種類の異なる苗トレイ（１６）を使用する移植作業を容易に行うことができ、」を、「【発明の効果】以上実施例から明らかなように本発明は、苗載台（１５）に搭載する苗トレイ（１６）の１株分のポット苗を苗取出爪（１７）で取出して苗植付装置（８）のホッパ形植付爪（１９）に放出供給して植付し、前記苗トレイ（１６）を苗取出し側に縦送り移動させる縦送り機構（７０）を設ける移植機の苗縦送り装置において、変速ギヤの噛合わせを選択して前記縦送り機構（７０）の苗トレイ（１６）縦送りピッチを変更させる苗トレイ縦送り量切換部材（５４）〜（５７）を設けたもので、苗載台（１５）に載せる苗トレイ（１６）の種類に応じて前記切換部材（５４）〜（５７）を操作するだけで苗トレイ（１６）縦送りピッチが極めて正確に変更されるから、種類の異なる苗トレイ（１６）を使用する移植作業を、正確に苗取出しできて容易に行うことができ、」と訂正する。
　
２-2、訂正の目的の適否及び拡張・変更の存否
　上記（１）の訂正は、特許請求の範囲の記載において、移植機を「苗トレイの１株分のポット苗を苗取出爪で取出して苗植付装置のホッパ形植付爪に放出供給して植付」けるものに、また、苗トレイ縦送り量切換部材を「変速ギヤの噛合わせを選択して前記縦送り機構の苗トレイ縦送りピッチを変更させる」ものに限定するものであるから、特許請求の範囲の減縮を目的とするものに該当する。
　また、（２）(ａ)及び(ｂ)の訂正は、発明の詳細な説明の記載を訂正後の特許請求の範囲の記載と整合させるものであるから、明りょうでない記載の釈明を目的とするものに該当する。
　そして、特許請求の範囲の記載を訂正する、上記（１）の構成は特許明細書の【０００５】【０００７】に記載されているので、上記（１）ないし（２）(ｂ)の訂正は、願書に添付した明細書又は図面に記載した事項の範囲内においてするものであって新規事項を追加するものでなく、かつ、実質上特許請求の範囲を拡張し、又は変更するものではない。
　
２-3、独立特許要件の判断
２-3-1、訂正明細書の発明
　訂正明細書の請求項１に係る発明（以下、「訂正明細書の発明」という。）は、上記手続補正書で補正された訂正明細書における特許請求の範囲の請求項１に記載されたとおりの、次の事項により特定されるものである。
　「苗載台に搭載する苗トレイの１株分のポット苗を苗取出爪で取出して苗植付装置のホッパ形植付爪に放出供給して植付し、前記苗トレイを苗取出し側に縦送り移動させる縦送り機構を設ける移植機の苗縦送り装置において、変速ギヤの噛合わせを選択して前記縦送り機構の苗トレイ縦送りピッチを変更させる苗トレイ縦送り量切換部材を設けたことを特徴とする移植機の苗縦送り装置。」
２-3-2、引用例記載の発明
　当審において通知した取消理由で引用した特開昭５８−１６２２０５号公報（以下、「引用例１」という。）、実願昭６３−８２８１９号（実開平２−３２１６号）のマイクロフィルム（以下、「引用例２」という。）及び実願昭６２−１９４５３１号（実開平１−９８５１９号）のマイクロフィルム（以下、「引用例３」という。）には、次の発明が記載されていると認められる（括弧内に、訂正明細書の発明において対応する構成を記す）。
  引用例１
　育苗容器支持装置(22)（苗載台）に搭載する育苗容器(１)（苗トレイ）の１株分のポット苗を苗植付装置(28)に供給して植付し、前記育苗容器(１)を苗取出し側に縦送り移動させる育苗容器送り装置(23)（縦送り機構）を設ける移植機の苗縦送り装置において、育苗容器送り装置(23)のカム枠(50)、カム(51)を育苗容器(１)のピッチ長さに設定することにより、育苗容器(１)のポット苗を１列づつ正確に送り出せる移植機の苗縦送り装置。
  引用例２
　苗のせ台(２)（苗載台）に搭載するブロック状苗収納容器(１)（苗トレイ）の１株分のポット苗を苗植付爪で取出して苗植付機構(5)（苗植付装置）で植付し、前記ブロック状苗収納容器(１)を苗取出し側に縦送り移動させる縦送り機構(Ｂ)を設けた移植機の苗縦送り装置。
  引用例３
　苗のせ台４（苗載台）に搭載するマット状苗Ａの１株分を苗取出爪で取出して植付アーム(２)（苗植付装置）で植付し、前記マット状苗Ａを苗取出し側に縦送り移動させる縦送り機構(16)を設ける田植機（移植機）の苗縦送り装置において、クランクアーム(20)による駆動輪(21)の回転量を変更することにより苗トレイ縦送りピッチを変更させるマット状苗Ａ縦送り量切換部材を設けた田植機の苗縦送り装置。
２-3-3、対比・判断
　訂正明細書の発明と上記引用例１又は２記載の発明とを比較すると、引用例１又は２記載の発明は「ポット苗を苗取出爪で取出して苗植付装置のホッパ形植付爪に放出供給して植付・・・る移植機の苗縦送り装置において、変速ギヤの噛合わせを選択して前記縦送り機構の苗トレイ縦送りピッチを変更させる苗トレイ縦送り量切換部材を設けた」構成を備えていない点で両者は構成が相違している。
　上記相違点を検討するに、引用例３には、苗のせ台(４)に搭載するマット状苗(Ａ)の１株分を苗植付爪で取出して植付ける田植機において、前記マット状苗(Ａ)を縦送り移動させる縦送り機構(16)の苗トレイ縦送り量を変更させる苗トレイ縦送り量切換部材を設けた構成が記載されているが、「縦送り機構(16)」は変速ギヤの噛合わせを選択して苗トレイ縦送りピッチを変更させるものではない。
　しかも、引用例１の発明は、縦送り機構の苗トレイ縦送りピッチを変更させるものではなく、また、引用例２記載の発明は、苗トレイの１株分のポット苗を植付ける移植機であるのに対し、引用例３記載の発明は、マット状苗の１株分を苗植付爪で取出して植付ける田植機であり、その植付ける苗の形態が異なっているので、引用例１又は２記載の発明に引用例３記載の発明を適用して訂正明細書の発明の構成とすることは、当業者が容易にできることではない。
　そして、上記構成を備える訂正明細書の発明は、訂正明細書記載の効果を奏するものであるから、訂正明細書の発明が引用例１ないし３記載の発明に基いて当業者が容易に発明をすることができたものとすることはできない。
　したがって、訂正明細書の発明は特許出願の際独立して特許を受けることができるものである。
２-4、むすび
　以上のとおりであるから、上記訂正は特許法第１２０条の４第２項、同条第３項で準用する第１２６条第２ないし４項の規定に適合するので、当該訂正を認める。
　
３、特許異議の申立てについて
３-1、異議申立て理由の概要
３-1-1、異議申立人井関農機株式会社の主張
　本件の請求項１に係る発明は、下記の甲第１号証ないし甲第３号証に記載された発明に基いて当業者が容易に発明をすることができたものであるから、その特許は、特許法第２９条第２項の規定に違反してされたものであり取り消されるべきである。
　　　　　　　　　　　記
　甲第１号証：実願昭６３−８２８１９号（実開平２−３２１６号）のマイクロフィルム（上記「引用例２」と同じ）
　甲第２号証の１：実開昭６３−１１４１２１号公報
　甲第２号証の２：実開昭６３−８５０２１号公報
　甲第２号証の３：実開昭６３−３１７２２号公報
　甲第２号証の４：実開昭６２−６４２１３号公報
　甲第２号証の５：特開昭６２−２５９１１号公報
　甲第２号証の６：実開昭６３−１０８２７号公報
　甲第３号証：特開昭５８−１６２２０５号公報（上記「引用例１」と同じ）
３-1-2、異議申立人福本仁志の主張
　本件特許は、次の理由により特許法第２９条第２項の規定に違反してされたものであり取り消されるべきである。
　(Ａ)本件の請求項１に係る発明は、下記の甲第１ないし５号証に記載された発明に基いて当業者が容易に発明をすることができたものである。
　(Ｂ)本件の請求項１に係る発明は原出願（甲第６号証）に記載されていない事項を包含するものであり、本件特許出願は適法な変更出願ではなく、出願日は遡及しないから、本件の請求項１に係る発明は、本件出願前に頒布された甲第６号証に記載された発明に基いて当業者が容易に発明をすることができたものである。
　　　　　　　　　　　記
　甲第１号証：実願昭６２−１９４５３１号（実開平１−９８５１９号）のマイクロフィルム（上記「引用例３」と同じ）
　甲第２号証：実願昭６３−３９７５５号（実開平１−１４２６１６号）のマイクロフィルム
　甲第３号証：実願昭５１−８６００３号（実開昭５３−３８３４号）のマイクロフィルム
　甲第４号証：実公昭５８−１４８３３号公報
　甲第５号証：実公昭５９−１２０１３号公報（以下、「引用例１３」という）
　甲第６号証：実願平３−１０６７０９号（実開平５−４６２１９号）のＣＤ−ＲＯＭ（原出願の公開された明細書及び図面）
　甲第７号証：特開平８−１７２８２５号公報
　
３-2、当審の判断
３-2-1、本件発明
　本件の請求項１に係る発明（以下、「本件発明」という）は、上記「２-3-1、訂正明細書の発明」に記載したとおりのものである。
３-2-2、甲号各証に記載された発明
　異議申立人井関農機株式会社の提示した甲第１号証及び甲第３号証には、上記「２-3-2、引用例記載の発明」における「引用例２」及び「引用例１」に記載したとおりの発明がそれぞれ記載されていおり、甲第２号証の１ないし６には、苗載台に搭載する苗を苗取出し側に縦送り移動させる縦送り機構を設ける移植機の苗縦送り装置において、前記縦送り機構の苗縦送り量を変更させる苗縦送り量切換部材を設けた田植機の苗縦送り装置が記載されている。
　また、異議申立人福本仁志の提示した甲第１号証には、上記「２-3-2、引用例記載の発明」における「引用例３」に記載したとおりのもの発明が記載されており、甲第２号証には、「植付爪（１２）による苗取出量を調節可能な苗取量調節機構（２０）と、縦送軸（４１）と苗送り体（４２）とから成る苗送り具（４０）を植付機構の動力で間歇駆動し、苗載台（１３）の苗載面（１３ａ）に載置する苗を苗取出側に送り込む苗送り機構とを備えた植付装置であって、前記縦送軸（４１）を、フォロワカム（４６）をもつ縦送入力軸（４７）に変速機構（５０）を介して連動すると共に、前記変速機構（５０）を前記苗取量調節機構（２０）による苗取量調節に連動させて変速し、前記苗送り体（４２）による苗送り量を苗取量と同調させる変速制御手段を設けたことを特徴とする植付装置。」（実用新案登録請求の範囲）が記載されている。
　同異議申立人の提出した甲第３号証には、「植付ける土付根絡苗の条列のピツチが異なる場合に容易に縦送り量を調節することができる田植機における条播土付根絡苗の縦送装置を提供せんとするものである。」（２頁１１〜１４行）と、甲第４号証には、「第６図は、この田植機に搭載して使用する苗枠１１の底面斜視図であって、碁盤目状に配設された多数のポット状苗室１２，１２…がその上縁を互いに連設して形成されている。」（第３欄１４〜１７行）と、甲第５号証には、「この考案は、苗枠を育成したポット苗を、苗枠のまま搭載して機械植えすることのできる田植機の苗載台に関するものである。」（第１欄３１〜３３行）と記載されている。
３-2-3、対比・判断
３-2-3-1、異議申立人井関農機株式会社の主張する理由及び異議申立人福本仁志の主張する理由(Ａ)について
  異議申立人井関農機株式会社の提出した甲第２号証の１ないし６には、上記「２-3-2、引用例記載の発明」における「引用例３」と同様の発明が記載されているから、上記「２-3-3、対比・判断」に記載した理由により、本件発明が、異議申立人井関農機株式会社の提出した甲第１ないし３号証に記載された発明に基いて当業者が容易に発明をすることができたものとすることはできない。
　本件発明と、異議申立人福本仁志の甲第１又は２号証記載の発明とを比較すると、両者は、苗載台の縦送り量を変更させる苗載台縦送り量切換部材を設けた移植機の苗縦送り装置で一致するが、
本件発明では、「苗トレイの１株分のポット苗を苗取出爪で取出して苗植付装置のホッパ形植付爪に放出供給して植付・・・る移植機の苗縦送り装置において、変速ギヤの噛合わせを選択して前記縦送り機構の苗トレイ縦送りピッチを変更させる」のに対し、甲第１又は２号証記載の発明では、前記構成を備えていない点で相違する。
　上記相違点について検討するに、甲第３号証には、土付根絡苗を植付ける田植機において、縦送りピッチを変更する構成が記載されており、また、甲第４又は５号証には、田植機等の移植機において、苗トレイのポット苗を植付けることが記載されている。
　しかしながら、甲第１ないし５号証には、「変速ギヤの噛合わせを選択して前記縦送り機構の苗トレイ縦送りピッチを変更させる」構成が記載されておらず、しかも、甲第１ないし３号証記載の発明は、マット状苗の１株分を苗植付爪で取出して植付ける田植機であるのに対し、甲第４ないし５号証記載の発明は、苗トレイの１株分のポット苗を植付ける移植機であり、その植付ける苗の形態が異なっているので、甲第１ないし３号証記載の発明に甲第４ないし５号証記載の発明を適用して本件発明の構成とすることは、当業者が容易にできることではない。
　そして、上記構成を備える本件発明は、明細書記載の効果を奏するものであるから、本件発明が甲第１ないし５号証記載の発明に基いて当業者が容易に発明をすることができたものとすることはできない。
　したがって、本件発明は、異議申立人井関農機株式会社の提示した甲第１号証ないし甲第３号証、及び、異議申立人福本仁志の提示した甲第１ないし５号証に記載された発明に基いて当業者が容易に発明をすることができたものではない。
３-2-3-2、異議申立人福本仁志の主張する理由(Ｂ)について
　本件発明は、訂正請求の訂正によって「移植機の苗縦送り装置において、変速ギヤの噛合わせを選択して前記縦送り機構の苗トレイ縦送りピッチを変更させる苗トレイ縦送り量切換部材を設けた」と、「苗トレイ縦送り量切換部材」が限定された（甲第７号証のものは除外された）。その結果、原出願においては「変速ギア54,55,56,67」の構成が開示されているのみであり、その上位概念である「苗トレイ縦送り量切換部材」は開示されていないから、本件特許出願は適法な変更出願ではなく、出願日は遡及しないという、異議申立人の主張する理由は解消された。
　したがって、本件特許出願は適法な変更出願であり、甲第６号証は本件出願前に頒布されたものではないから、本件発明の特許が特許法第２９条に違反してされたものとすることはできない。
　
３-3、むすび
　以上のとおりであるから、特許異議申立ての理由及び証拠方法によって、本件発明の特許を取り消すことはできない。
　また、他に本件発明の特許を取り消すべき理由を発見しない。
　よって、結論のとおり決定する。
【異議決定日】
平成１２年２月１４日（２０００．２．１４）
【訂正の要旨】
　特許第２６６０５０３号発明の明細書を本件訂正請求書に添付した訂正明細書のとおりに、すなわち、特許請求の範囲の減縮を目的として下記（ａ）のとおりに訂正し、明りょうでない記載の釈明を目的として下記（ｂ）及び（ｃ）のとおりに訂正する。
（ａ）特許請求の範囲の「苗載台に搭載する苗トレイを苗取出し側に縦送り移動させる縦送り機構を設ける移植機の苗縦送り装置において、前記縦送り機構の苗トレイ縦送りピッチを変更させる苗トレイ縦送り量切換部材を設けたことを特徴とする移植機の苗縦送り装置。」を、「苗載台に搭載する苗トレイの１株分のポット苗を苗取出爪で取出して苗植付装置のホッパ形植付爪に放出供給して植付し、前記苗トレイを苗取出し側に縦送り移動させる縦送り機構を設ける移植機の苗縦送り装置において、変速ギヤの噛合わせを選択して前記縦送り機構の苗トレイ縦送りピッチを変更させる苗トレイ縦送り量切換部材を設けたことを特徴とする移植機の苗縦送り装置。」と訂正する。
（ｂ）特許明細書の【０００４】の欄（特許公報２欄１１〜３欄２行）の「【課題を解決するための手段】然るに、本発明は、苗載台に搭載する苗トレイを苗取出し側に縦送り移動させる縦送り機構を設ける移植機の苗縦送り装置において、前記縦送り機構の苗トレイ縦送りピッチを変更させる苗トレイ縦送り量切換部材を設けたもので、苗載台に載せる苗トレイの種類に応じて前記切換部材を操作するだけで苗トレイ縦送りピッチが変更されるから、種類の異なる苗トレイを使用する移植作業を容易に行い得、」を、「【課題を解決するための手段】然るに、本発明は、苗載台に搭載する苗トレイの１株分のポット苗を苗取出爪で取出して苗植付装置のホッパ形植付爪に放出供給して植付し、前記苗トレイを苗取出し側に縦送り移動させる縦送り機構を設ける移植機の苗縦送り装置において、変速ギヤの噛合わせを選択して前記縦送り機構の苗トレイ縦送りピッチを変更させる苗トレイ縦送り量切換部材を設けたもので、苗載台に載せる苗トレイの種類に応じて前記切換部材を操作するだけで極めて正確に苗トレイ縦送りピッチが変更されるから、種類の異なる苗トレイを使用する移植作業を正確に苗取出しできて容易に行い得、」と訂正する。
（ｃ）特許明細書の【００１５】の欄（特許公報６欄１８〜２８行）の「【発明の効果】以上実施例から明らかなように本発明は、苗載台（１５）に搭載する苗トレイ（１６）を苗取出し側に縦送り移動させる縦送り機構（７０）を設ける移植機の苗縦送り装置において、前記縦送り機構（７０）の苗トレイ（１６）縦送りピッチを変更させる苗トレイ縦送り量切換部材（５４）〜（５７）を設けたもので、苗載台（１５）に載せる苗トレイ（１６）の種類に応じて前記切換部材（５４）〜（５７）を操作するだけで苗トレイ（１６）縦送りピッチが変更されるから、種類の異なる苗トレイ（１６）を使用する移植作業を容易に行うことができ、」を、「【発明の効果】以上実施例から明らかなように本発明は、苗載台（１５）に搭載する苗トレイ（１６）の１株分のポット苗を苗取出爪（１７）で取出して苗植付装置（８）のホッパ形植付爪（１９）に放出供給して植付し、前記苗トレイ（１６）を苗取出し側に縦送り移動させる縦送り機構（７０）を設ける移植機の苗縦送り装置において、変速ギヤの噛合わせを選択して前記縦送り機構（７０）の苗トレイ（１６）縦送りピッチを変更させる苗トレイ縦送り量切換部材（５４）〜（５７）を設けたもので、苗載台（１５）に載せる苗トレイ（１６）の種類に応じて前記切換部材（５４）〜（５７）を操作するだけで苗トレイ（１６）縦送りピッチが極めて正確に変更されるから、種類の異なる苗トレイ（１６）を使用する移植作業を、正確に苗取出しできて容易に行うことができ、」と訂正する。
（５４）【発明の名称】
移植機の苗縦送り装置
（５７）【特許請求の範囲】
　【請求項１】　苗載台に搭載する苗トレイ
の１株分のポット苗を苗取出爪で取出して苗植付装置のホッパ形植付爪に放出供給して植付し、前記苗トレイ
変速ギヤの噛合わせを選択して
部材
【発明の詳細な説明】
　【０００１】
　【発明の属する技術分野】本発明は苗載台の横送り機構に苗トレイの縦送り機構を連動連結させて苗トレイの縦送りを行うようにした主に野菜用移植機の苗縦送り装置に関する。
　【０００２】
　【従来の技術】例えば特願平３−１５５８４３号明細書などにおける苗縦送り装置にあって、苗トレイの種類（２５ｍｍ角、３０ｍｍ角など）により、苗トレイの縦送り量を変更する場合ロックカムやフランジなど部品交換によって行っている。
　【０００３】
　【発明が解決しようとする課題】しかし乍らこのような部品交換の場合、部品の脱着やタイミング合せなど作業に長時間（約３０分）を要するばかりでなく、組み間違いによる２次トラブルが発生し易い問題がある。
　【０００４】
　【課題を解決するための手段】然るに、本発明は、苗載台に搭載する苗トレイ
の１株分のポット苗を苗取出爪で取出して苗植付装置のホッパ形植付爪に放出供給して植付し、前記苗トレイ
変速ギヤの噛合わせを選択して
部材
部材
極めて正確に
正確に苗取出しできて
　【０００５】
　【発明の実施の形態】以下本発明の実施例を図面に基づいて詳述する。図１は苗縦送り駆動機構部の説明図、図２は移植機の全体側面図であり、図中（１）はエンジン（２）を搭載する前フレーム、（３）は前フレーム（１）後端に連設するミッションケース、（４）は前記ミッションケース（３）に伝動ケース（５）を介し上下揺動可能に支持する左右の走行輪、（６）は前記ミッションケース（３）の後方にシャーシフレーム（７）を介し装設する苗供給装置、（８）は左右の走行輪（４）間で前記ミッションケース（３）に植付伝動ケース（９）を介して装設する苗植付装置、（１０）は畝上面を鎮圧する鎮圧ローラ、（１１）は前記鎮圧ローラ（１０）の左右両側に配設する畝ガイドローラ、（１２）は植付間隔調整用の株間検出ローラ、（１３）は培土ローラ、（１４）はゲージローラであり、前記苗供給装置（６）における左右往復移動する苗載台（１５）上の苗トレイ（１６）より１株分のポット苗を苗取出爪（１７）でもって取出すと共に、この取出されたポット苗を前記苗植付装置（８）のマルチカッタ（１８）と連動して上下動するホッパ形植付爪（１９）に放出供給して、操向ハンドル（２０）操作による機体の走行中畝面に一定間隔毎のポット苗の植付けつまり移植を行うように構成している。
　【０００６】図３乃至図６に示す如く、前記苗供給装置（６）は、ミッションケース（３）からの駆動力を伝達チェン（２１）を介し苗取出駆動軸（２２）に入力させる横送り駆動ケース（２３）と、前記駆動軸（２２）にロータリケース（２４）及びクランクアーム（２５）及びカム軸（２６）を介し左右一対の苗取出爪（１７）を連結支持させる苗取出アーム（２７）と、前記クランクアーム（２５）の回転時苗取出アーム（２７）をガイド溝（２８ａ）に沿って苗取出位置及び苗放出位置に直線及び揺動操作案内するアームガイド板（２８）と、前記苗取出駆動軸（２２）にスプロケット（２９）（３０）及びチェン（３１）を介し連動連結させる縦送り駆動軸（３２）と、前記縦送り駆動軸（３２）の固定押出カム（３３）に回転子（３４）・第１及び第２揺動アーム（３５ａ）（３５ｂ）・係合軸（３６）を介してピン支持体（３７）を連結させる苗押出ピン（３８）とを備え、前記駆動軸（２２）の回転による苗取出爪（１７）の苗トレイ（１６）への上方よりの突入直前に、苗押出ピン（３８）を苗トレイ（１６）底面側より突入させて苗押出動作を完了させるタイミングとするように構成している。
　【０００７】また、苗供給装置（６）は苗載台（１５）下部両側の左右側板（３９）（４０）の右側板（４０）外側に苗縦送り駆動機構（４１）を設けるもので、前記駆動軸（３２）に固設する常時回転の縦送り操作部材（４２ａ）（４２ｂ）と、左側板（３９）の同一枢軸（４３）に基端を回動自在に枢支させて苗載台（１５）の左右移動終端時に前記操作部材（４２ａ）或いは（４２ｂ）の操作軸（４４）にそれぞれ中間部を当接させる縦送りカム（４５）及びロックアーム（４６）と、左側板（３９）のフオロワカム軸（４７）に一方向クラッチ（４８）及び筒軸（４９）を介して支持して前記縦送りカム（４５）の回転子（５０）に係合溝（５１ａ）を係合させるフオロワカム（５１）と、前記フオロワカム軸（４７）に一体的に固設してロックアーム（４６）のロック用回転子（５２）に外周部のロック溝（５３ａ）を係合させる歯車形のロック体（５３）と、前記カム軸（４７）に連動連結させる変速比の異なる２組の常時噛合式縦送り変速ギヤ（５４）　（５５）及び（５６）　（５７）と、縦送り駆動スプロケット（５８）を有する縦送り軸であるスプロケット軸（５９）に遊転軸支するスプライン筒軸（６０）と、前記スプライン筒軸（６０）に遊転軸支する従動側変速ギヤ（５５）（５７）の内ギヤ（５５ａ）（５７ａ）に噛合せる２つの外ギヤ（６１ａ）（６１ｂ）を有して筒軸（６０）とは軸方向に摺動自在にスプライン嵌合する切換ギヤ（６１）と、前記スプロケット軸（５８）の外端部で筒軸（６０）に一体連結する円板（６２）にボルト（６３）及び位相調節孔（６４）を介して位相調節自在にスプロケット軸（５８）を連動連結させる位相調節フランジである位相調節板（６５）と、前記切換ギヤ（６１）の外ギヤ（６１ａ）（６１ｂ）をシフター（６６）を介し内ギヤ（５５ａ）（５７ａ）に切換自在に噛合せ連結する変速切換レバー（６７）とを備え、前記苗載台（１５）上端に枢看板（６８）を介し弾圧支持する遊転輪（６９）と駆動スプロケット（５８）との間に張架する縦送りチェン（７０）の縦送りピン（７１）を苗トレイ（１６）の各セル（１６ａ）底部間の陥没部（１６ｂ）に掛合させて苗トレイ（１６）の縦送りを行う一方、前記切換レバー（６７）でもって切換ギヤ（６１）の外ギヤ（６１ａ）或いは（６１ｂ）を何れか一方の内ギヤ（５５ａ）或いは（５７ａ）に噛合せるとき高速或いは低速状態とさせて苗トレイ（１６）の種類（３０ｍｍ角或いは２５ｍｍ角）に応じた縦送り量に調節するように構成している。
　【０００８】そして、苗載台（１５）の横送り動作時には、前記ロックアーム（４６）に付勢されるバネ（７２）力でもってロック体（５３）のロック溝（５３ａ）に回転子（５２）を係入させてカム軸（４７）のロックを行う一方、苗載台（１５）が左右移動終端に至るとき前記操作軸（４４）にロックアーム（４６）及び縦送りカム（４５）が当接してロック溝（５３ａ）と回転子（５２）とによるロック解除が行われると同時に、前記フオロワカム（５１）に付勢される戻りバネ（７３）力に抗するカム軸（４７）の回転が行われて、１ピッチ分の苗トレイ（１６）の縦送りが行われるように構成している。
　【０００９】また、前記切換レバー（６７）は切換ギヤ（６１）による高低速２段の変速切換えを行うと共に、中央に中立（Ｎ）位置を設けて縦送りクラッチ操作も可能とさせて苗継ぎ時における手動縦送りなどを良好に行わしめるように構成したもので、苗載台（１５）に搭載する苗トレイ（１６）を苗取出し側に縦送り移動させる縦送り機構である縦送りチェン（７０）を設ける移植機の苗縦送り装置において、前記縦送りチェン（７０）の苗トレイ（１６）縦送りピッチを変更させる苗トレイ縦送り量切換部材である変速ギヤ（５４）〜（５７）を設けたもので、苗載台（１５）に載せる苗トレイ（１６）の種類に応じて前記変速ギヤ（５４）〜（５７）を操作するだけで苗トレイ（１６）縦送りピッチが変更されるように構成している。
　【００１０】また（７４）（７５）は横送り駆動軸（７６）の回転時摺動体（７７）を介し苗載台（１５）を横送り案内する上下ガイド軸である。
　【００１１】本実施例は上記の如く構成するものにして、苗載台（１５）の横送り動作時苗トレイ（１６）の上下方向より苗取出爪（１７）及び苗押出ピン（３８）を同調動作させての苗取出し作業が行われるもので、前記レバー（６７）操作でもって切換ギヤ（６１）の外ギヤ（６１ａ）を内ギヤ（５５ａ）に噛合せるとき高速状態で縦送り量を大（３０ｍｍ角）に、また外ギヤ（６１ｂ）を内ギヤ（５７ａ）に噛合せるとき低速状態で縦送り量を小（２５ｍｍ角）に変速しての縦送り作業を行うものである。
　【００１２】而して該構成の場合、縦送りの変速をロック体（５３）やフランジなど部品交換を行うことなく、レバー（６７）のワンタッチ操作のみで行うため容易にして確実に行えるばかりでなく、縦送りクラッチ操作もこの１つのレバー（６７）で容易に行える。また初期（出荷）時にタイミングが合っていれば切換えをどこで行ってもタイミングのずれがなく、組み間違いの恐れもない。
　【００１３】さらに縦送りの位相調節を行う位相調節板（６５）をスプロケット軸（５９）の外端部に設けているため、苗載台（１５）外側からの位相調節を容易とさせることができて、この位相調節を極めて簡便に行わしめることができる。
　【００１４】図７は切換ギヤ（６１）の他の変形構造例を示すもので、従動側変速ギヤ（５５）　（５７）のうち一方のギヤ（５５）をスプロケット軸（５９）に遊転軸支させると共に、該ギヤ（５５）に他方のギヤ（５７）を遊転軸支させ、これらギヤ（５５）（５７）の内ギヤ（５５ａ）（５７ａ）に切換自在に噛合せる２つの外ギヤ（６１ａ）（６１ｂ）を有する切換ギヤ（６１）を、前記スプロケット軸（５９）に遊転軸支させ、該ギヤ（６１）の一端側に固設する円板（６２）と、前記スプロケット軸（５９）の外端にスプライン嵌合する位相調節板（６５）とを前記ボルト（６３）及び位相調節孔（６４）を介して固定させて、切換レバー（６７）でもって調節板（６２）と一体に切換ギヤ（６１）を軸方向にスライド操作させることによって、前実施例同様縦送り高低速２段の切換えと、中立（Ｎ）位置への切換えを行わしめるように構成したものである。
　【００１５】
　【発明の効果】以上実施例から明らかなように本発明は、苗載台（１５）に搭載する苗トレイ（１６）
の１株分のポット苗を苗取出爪（１７）で取出して苗植付装置（８）のホッパ形植付爪（１９）に放出供給して植付し、前記苗トレイ（１６
変速ギヤの噛合わせを選択して
部材
部材
極めて正確に
、正確に苗取出しできて
【図面の簡単な説明】
　【図１】苗縦送り駆動機構部の側面説明図。
　【図２】移植機の全体側面図。
　【図３】苗供給装置部の側面説明図。
　【図４】苗供給装置部の平面説明図。
　【図５】苗縦送り駆動機構部の平面説明図。
　【図６】苗縦送り駆動機構部の部分説明図。
　【図７】他の変形構造例を示す説明図。
　【符号の説明】
（１５）　　苗載台
（１６）　　苗トレイ
（５４）（５５）（５６）（５７）　変速ギヤ
（苗トレイ縦送り量切換部材）
（７０）　　縦送りチェン（縦送り機構）